(57)【要約】      （修正有）【課題】コーンの上部に簡単に取り付けることができて、取り付け後はコーン上部から簡単には分離したり脱落したりせず、しかも表示灯を安定した状態で確実にコーン上部に装着保持することのできるコーン表示灯装着用のアダプタを提供する。【解決手段】上部穴あきコーン５０の当該上部穴内に嵌合されて当該コーン上部５１の内周面に密着される円錐台状の外形を有するスカート部２と、このスカート部２の小径端側に連設されて、スカート部２よりも肉厚に形成され、かつ下端がスカート部２の小径端よりも大径とされた胴部３とからなる構成とする。胴部３の上端側から胴部３内に表示灯６０の小径円筒部６２を挿入して嵌合させうるように、胴部３の上端側の内径はその下方側の内径よりも小径とし、その内周面の一部に、前記小径円筒部６２の外周面の凸部６４が通過可能な溝３５を形成する。【選択図】図１
2011089309.tif 000002
【特許請求の範囲】
【請求項１】
発光部の下部側に円筒部が設けられて当該円筒部の外周面に凸部が形成された表示灯を、道路等設置用のコーンの上部に装着するためのコーン表示灯装着用のアダプタであって、
上部が截断されて穴あき状とされたコーンの当該上部穴内に嵌合されて当該コーン上部の内周面に密着される円錐台状または多段円錐台状の外形を有するスカート部と、
スカート部の小径端側に連設されて、当該スカート部の小径端よりも肉厚に形成され、かつ下端の外径がスカート部の小径端の外径よりも大径とされた胴部とを有し、
胴部は、スカート部をコーンの上部穴内に所定の状態に嵌合させたときにコーンの上端側に突出して外周側の下端部分がコーンの上端面に当接することよって下方への移動が阻止されるように、当該下端部分が段差面となっているとともに、
胴部の上端側から胴部内に表示灯の円筒部を挿入して嵌合させうるように、胴部の上端側の内径がその下方側の内径よりも小径に形成されて、その内周面の一部に、前記円筒部の外周面の凸部が通過可能な溝が形成されていることを特徴とするコーン表示灯装着用のアダプタ。
【請求項２】
スカート部をコーンの上部穴内に所定の状態に嵌合させて胴部をコーンの上端側に突出させた状態において、コーンの上部を持ったときに胴部の下端部分が指に引っ掛かるように、胴部の下端の外径がコーンの上端の外径よりも大径とされている、請求項１記載のコーン表示灯装着用のアダプタ。
【請求項３】
スカート部の外周面には、このスカート部をコーンの上部穴内に嵌合させた状態で当該コーン内周面に食い込んでアダプタの軸心回りの回転を防止する突起が設けられている、請求項１または２記載のコーン表示灯装着用のアダプタ。
【請求項４】
上部の内周側に肉厚部分が形成されたコーンに装着されるアダプタであり、
スカート部の下端部分はフランジ状に形成されており、スカート部をコーンの上部穴内に所定の状態に嵌合させたときに、当該フランジ状の下端部分の上面と胴部の下端部分の段差面とで前記コーン上部の内周側の肉厚部分を挟むように構成されている、請求項１ないし３のいずれかに記載のコーン表示灯装着用のアダプタ。
【請求項５】
胴部の外周面には、その略全周にわたって凹凸部が形成されている、請求項１ないし４のいずれかに記載のコーン表示灯装着用のアダプタ。
【発明の詳細な説明】
【技術分野】
【０００１】
本発明は、道路等設置用のコーン（カラーコーン）の上部に表示灯を装着する際に使用されるアダプタに関する。
【背景技術】
【０００２】
例えば工事現場などで通行人等に対して注意を喚起する等のために道路等に設置される物の一つに、いわゆるコーン（カラーコーン）がある。コーンは、円錐状のプスラック成形体によって構成され、その上部（頂部）が閉鎖構造となっているものが多い。ところが、夜間やトンネル内等では、視認しやすくするためにコーンの上部に表示灯（例えばＬＥＤなどの発光部を備えた表示灯）を装着して使用したい場合があり、その場合、上記のような上部が閉鎖した構造のコーンでは表示灯を装着しづらい。このため、コーンの上部を截断して穴あき状とし、この上部穴に表示灯を装着できるようにしたものも提案されている（特許文献１）。
【０００３】
しかしながら、コーンの上部穴に表示灯の下部側を挿入するなどして装着できたとしても、そのままでは通行人等の接触によりコーンが倒れたり傾いたりしたときにコーン上部から表示灯が脱落してしまうおそれがある。また、コーンの上部穴の内径と、この上部穴に挿入される表示灯の下部側部分の外径とが対応していない場合には、表示灯を安定した状態で装着できるようにするために両者間に何らかのアダプタ手段が必要となる。
【０００４】
そこで、従来においては、特許文献２に記載されているような道路用コーンのキャップが提案されている。この道路用コーンのキャップは、平面視で円環状のキャップ部と、キャップ部の内周側から下方に延びる一対の脚部と、キャップの下面側に形成された４つの突起とからなり、コーンの上部穴内に一対の脚部と４つの突起とを差し込んで、コーン上端部にキャップ部を被着しうるように構成されている。そして、このキャップをコーン上部に取り付け、その円環状のキャップ部内に表示灯（ランプ）の下部側部分（円筒部）を挿入することで、コーン上部に表示灯を所定の状態に装着できるようになっている。
【０００５】
この特許文献２記載のキャップには、円環状のキャップ部の内周側に切り欠き部が設けられている。このような切り欠き部があると、前記下部側部分の円筒部の外周に抜け止め用の凸部が設けられている表示灯を装着する場合に、当該凸部が前記切り欠き部を通過するようにして表示灯の下部側部分である円筒部を円環状のキャップ部内に挿入し、そのうえで表示灯を円筒部の軸心回りに回転させて前記凸部と切り欠き部との周方向の位置をずらすことで、表示灯がキャップ部から簡単には抜けないようにすることができる。
【先行技術文献】
【特許文献】
【０００６】
【特許文献１】登録実用新案第３０７５２３１号公報
【特許文献２】意匠登録第１２３９１１４号公報
【発明の概要】
【発明が解決しようとする課題】
【０００７】
しかしながら、上記特許文献２記載のキャップにおいては、これをコーンの上部に装着した場合、一対の脚部と４つの突起とがコーンの上部穴内に単に差し込まれた状態となるだけであるから、例えばキャップを掴んでコーン全体を持ち上げようとしたときやコーンが倒れたときに、キャップを介してコーン上部に装着された表示灯が当該キャップごとコーンの上部から抜け出てしまったり脱落してしまったりする可能性がある。また、表示灯の下部側部分である円筒部がキャップ部の板状の内周縁部分でのみ支持されるにすぎないため、表示灯がぐらついたりガタついたりしやすいという問題がある。
【０００８】
本発明は、上記のような点に鑑みてなされたもので、コーンの上部に簡単に取り付けることができるにもかかわらず、取り付け後はコーン上部から簡単には分離したり脱落したりしないようにすることができ、しかも表示灯を安定した状態で確実にコーン上部に装着保持することのできるコーン表示灯装着用のアダプタを提供することを目的とする。
【課題を解決するための手段】
【０００９】
本発明は、発光部の下部側に円筒部が設けられて当該円筒部の外周面に凸部が形成された表示灯を、道路等設置用のコーンの上部に装着するためのコーン表示灯装着用のアダプタを対象としている。
【００１０】
このようなコーン表示灯装着用のアダプタとして、本発明に係るアダプタは、上部が截断されて穴あき状とされたコーンの当該上部穴内に嵌合されて当該コーン上部の内周面に密着される円錐台状または多段円錐台状の外形を有するスカート部と、このスカート部の小径端側に連設されて、当該スカート部の小径端よりも肉厚に形成され、かつ下端がスカート部の小径端の外径よりも大径とされた胴部とを有する構成である。
【００１１】
胴部は、スカート部をコーンの上部穴内に所定の状態に嵌合させたときにコーンの上端側に突出して外周側の下端部分がコーンの上端面に当接することよって下方への移動が阻止されるように、当該下端部分が段差面となっている。また、胴部の上端側から胴部内に表示灯の円筒部を挿入して嵌合させうるように、胴部の上端側の内径を、その下方側の内径よりも小径に形成し、その内周面の一部に、前記円筒部の外周面の凸部が通過可能な溝を形成した構成とする。
【００１２】
スカート部の外周面には、このスカート部をコーンの上部穴内に嵌合させた状態で当該コーン内周面に食い込んでアダプタの軸心回りの回転を防止する突起を設けるのが望ましい。このような突起は、スカート部の外周面の周方向において一定間隔ごとに（例えば９０°ずつずらした位置に）それぞれ設けることができる。また、この種の突起は、これによる回り止め効果が高くなるように、スカート部の少なくとも下端部もしくはその近傍に設けるのが望ましい。
【００１３】
スカート部をコーンの上部穴内に所定の状態に嵌合させて胴部をコーンの上端側に突出させた状態において、コーンの上部を持ったときに胴部の下端部分が指に引っ掛かるように、胴部の下端の外径はコーンの上端の外径よりも大径とするのが望ましい。このようにすると、本発明のアダプタを装着したコーンを別の場所に移動する場合等において、当該コーンの上部を手で掴んだときに指がアダプタの胴部の下端部分に引っ掛かるので手で持ちやすくなる。この場合、胴部の外周面の略全周にわたって凹凸部を形成しておくと、この凹凸が滑り止めとなるので更に持ちやすくなる。また、コーン上部に本発明のアダプタが装着されていることよってコーン上部の剛性も高くなるので、これによっても持ちやすさが向上する。上部穴あきコーンの場合、アダプタがないと上部を手で持ったときに滑りやすく持ちにくい。
【００１４】
なお、コーンおよひアダプタは、いずれもプラスチックで形成することができる。その場合、コーンは比較的軟質のプラスチック（例えば、ある程度の柔軟性を有するポリ塩化ビニル）で形成してもよいし硬質のプラスチックで形成してもよいが、アダプタは、上述した持ちやすさ・掴みやすさを考慮して、硬質のプラスチック（例えばＡＢＳ樹脂）で形成するのが望ましい。
【００１５】
コーンの上部にアダプタを脱落しにくいように装着できる構造として、コーン上部の内周側に肉厚部分を形成し、この肉厚部分にスカート部の小径端側を嵌合させる構造とすることもできる。具体的には、スカート部の下端部分をフランジ状に形成し、スカート部をコーンの上部穴内に所定の状態に嵌合させたときに、当該フランジ状の下端部分の上面と胴部の下端部分の段差面とで前記コーン上部の内周側の肉厚部分を挟む構成とする。これによれば、コーン上部にアダプタを所定の状態に装着したときに、スカート部におけるフランジ状の下端部分の上面と胴部における下端部分の段差面とでコーン上部の内周側の肉厚部分が挟まれた状態となるので、コーン上部からアダプタが抜けたり脱落したりしにくくなる。
【発明の効果】
【００１６】
本発明に係るコーン表示灯装着用のアダプタは、スカート部の小径端側に、下端がスカート部の小径端よりも大径とされた胴部を連設した構造とされているから、そのスカート部を例えば通常のコーン（上部が截断されていないコーン）の上部（頂部）に被せ、その状態で上から上部穴あきコーンを落とし込むことよって、当該上部穴内にスカート部が嵌合してその外周面が当該コーン上部の内周面に密着した状態となる。このとき、胴部はコーンの上端側に突出して外周側の下端部分がコーンの上端面に当接することよって下方への移動が阻止されるようになる。こうして、上部穴あきコーンの上部に本発明に係るコーン表示灯装着用のアダプタを所定の状態に簡単に取り付けることができる。なお、次からは上記のアダプタ装着済みのコーンを利用してアダプタの装着作業を行なうことができる。
【００１７】
また、コーンの上部に取り付けられた状態おいては、上記のようにコーンの上部穴内に円錐台状の外形を有するスカート部が嵌合してその外周面が当該コーン上部の内周面に密着するとともに、相対的に肉厚の胴部がコーンの上端外に突出してその外周側の下端部分がコーンの上端面に当接することよって下方への移動が阻止された状態となる。このように、本発明に係るアダプタは、コーンの上部に嵌合一体化されたような状態となるから、例えばコーン上に突出している胴部を掴んで持ち上げたりしても、当該コーン上部から分離したり脱落したりすることはない。
【００１８】
このようにしてコーンの上部に取り付けられた本発明に係るアダプタにおいては、胴部の上端側から胴部内に表示灯の下端側の円筒部を挿入して嵌合させうるように、胴部の上端側の内径が、その下方側の内径よりも小径に形成されており、その内周面の一部に、前記円筒部の外周面の凸部が通過可能な溝が形成されているから、この胴部の上端側から胴部内に表示灯の下端側の円筒部を挿入して嵌合させたのち、表示灯をアダプタの軸心回りに回転させて表示灯側の円筒部における凸部とアダプタ側の胴部内における溝との位置を相対的にずらすようにすれば、前記凸部が胴部の上端側の小径部分の下端に引っ掛かって抜けないようになる。このとき、表示灯の下部側の円筒部は、胴部内に嵌合挿通された状態で軸方向に一定の厚み寸法を有する胴部の小径部分によって保持されることとなる。したがって、表示灯は、安定した状態で確実にコーン上部に装着保持される。
【図面の簡単な説明】
【００１９】
【図１】本発明の実施例に係るコーン表示灯装着用のアダプタを介してコーンの上部に表示灯を装着する際の状態を示す斜視図である。
【図２】コーンの上部に本発明の実施例に係るアダプタを介して表示灯を装着した状態を示す全体正面図である。
【図３】表示灯が装着されたコーン上部の周辺構造を拡大して示す部分拡大縦断面図である。
【図４】図３のＡ−Ａ線で切断した断面図である。
【図５】コーン上部へのアダプタの取り付け作業を説明するために使用したコーン上部の縦断面図である。
【図６】コーン上部へのアダプタの他の取り付け方法を説明するために使用した図である。
【図７】本発明の他の実施例に係るコーン表示灯装着用のアダプタをコーンの上部に装着する前の状態を示す一部切り欠き正面図である。
【図８】本発明の他の実施例に係るコーン表示灯装着用のアダプタをコーンの上部に装着した状態を示す一部切り欠き正面図である。
【発明を実施するための形態】
【００２０】
（実施例）  図１および図２に示すように、この実施例に係るコーン表示灯装着用のアダプタ１は、道路等設置用の比較的軟質のプラスチック（この実施例ではポリ塩化ビニル）で形成されたコーン５０の上部に表示灯６０を装着するために使用されるもので、下部側のスカート部２と、上部側の胴部３とで構成されている。このアダプタ１は、比較的硬質のプラスチック（この実施例ではＡＢＳ樹脂）で形成されている。
【００２１】
なお、コーン５０は縦長円錐台状の外形を有し、その円錐頂部が截断されて上部５１が穴あき状とされており、その外周面にはシート状あるいはテープ状の反射材５２が貼り付けられ、下部には比較的質量の大きいポリ塩化ビニルからなる重し５３が装着されている。一方、表示灯６０は、上部側の発光部（図示例ではＬＥＤ）６１と、その直下に位置する大径円筒部６２および小径円筒部６３とを有し、このうちの下側の小径円筒部６３の外周面に、図示例ではアダプタ１からの抜け止め手段として機能とする凸部６４を形成した構成である。
【００２２】
アダプタ１におけるスカート部２は、図３および図４に示すように、コーン５０の上部穴５４内に嵌合されてコーン上部の内周面５５に密着される円錐台状の外形を有する。このスカート部２の外周面２１の下端部には、スカート部２をコーン５０の上部穴５４内に嵌合させたときに当該コーン内周面５５に食い込んでアダプタ１の軸心回りの回転を防止する複数の断面楔形状の突起２２が設けられている。これらの突起２２は、この実施例では、スカート部２の外周面２１の周方向において９０°ずつずらした位置に、それぞれ設けられている。
【００２３】
一方、胴部３は、スカート部２の小径端２３側に連設されて、スカート部２よりも肉厚に形成され、かつ下端３１がスカート部２の小径端２３よりも大径とされている。この胴部３の外周側の下端部分３１ａは、図３および図４に示すように、スカート部２をコーン５０の上部穴５４内に所定の状態に嵌合させたときにコーン５０の上端５５外に突出してコーン５０の上端面５５ａに当接することよって下方への移動が阻止されるように段差面となっている。
【００２４】
胴部３の上端３２側から胴部３内に表示灯６０の小径円筒部６３を挿入して嵌合させうるように、胴部３の上端側部分３３の内径ｒはその下方側部分３４の内径Ｒよりも小径に形成されている。この相対的に小径に形成された下方側部分３４の内周面の一部には、前記表示灯６０における小径円筒部６３の外周面の凸部６４が通過可能な溝３５が形成されている。胴部３の外周面には滑り止め用の凹凸部３６が形成されている。
【００２５】
上記のように構成されたコーン表示灯装着用のアダプタ１は、この実施例では、次のようにしてコーン５０の上部に装着される。まず、図５に示すように、上部が截断されたコーン（上部穴あきコーン）５０の内部の下方側からから上方側にアダプタ１を押し込むか、あるいはアダプタ１を固定した状態でその上方から上部穴あきコーン５０を落とし込む。このようにすると、コーン５０の上部穴５４がアダプタ１の胴部３の上端３２側で押されることによって一時的に拡開し、その状態でアダプタ１の胴部３がコーン５０の上端５５を通過する。そして、通過後はコーン５０を形成しているプラスチック素材の弾性によりコーン５０の上部穴５４が縮径するとともに、当該上部穴５４内にスカート部２が嵌合してその外周面２１が当該コーン上部５１の内周面５５に密着した状態となる。このとき、胴部３はコーン５０の上端５５側に突出して外周側の下端部分３１ａがコーン５０の上端面５５ａに当接することよって下方への移動が阻止されるようになる。こうして、上部穴あきコーン５０の上部５１に本発明に係るコーン表示灯装着用のアダプタ１を所定の状態に簡単に取り付けることができる。
【００２６】
なお、上記のアダプタ装着済みのコーン５０を利用してアダプタ１の装着作業を行なうことができる。すなわち、コーン５０の上部５１に装着されたアダプタ１に別のアダプタ１を被せ、その上から上部穴あきコーン５０を落とし込めば、図６に示すように、落とし込んだコーン５０の上部５１が上側のアダプタ１のスカート部２の位置まで自重により移動して、そのコーン上部５１の上方側にアダプタ１の胴部３が突出して上述した状態と同じ装着状態となる。
【００２７】
また、コーン５０の上部５１にアダプタ１が取り付けられた状態おいては、上記のようにコーン５０の上部穴５４内に円錐台状の外形を有するスカート部３が嵌合してその外周面２１が当該コーン上部５１の内周面に密着するとともに、相対的に肉厚の胴部３がコーン５０の上端５５外に突出してその外周側の下端部分３１ａがコーン５０の上端面５５ａに当接することよって下方への移動が阻止された状態となる。このように、本発明に係るアダプタ１は、コーン５０の上部５１に嵌合一体化されたような状態となるから、例えばコーン５０上に突出している胴部３を手で掴んで持ち上げたりしても、当該コーン上部５１から分離したり脱落したりすることはない。
【００２８】
このようにしてコーン５０の上部５１に取り付けられたアダプタ１においては、胴部３の上端３２側から胴部３内に表示灯６の下端側の小径円筒部６３を挿入して嵌合させうるように、胴部３の上端側部分３３の内径ｒが、その下方側部分３４の内径Ｒよりも小径に形成されており、その内周面の一部に、前記小径円筒部６３の外周面に形成された凸部６４が通過可能な溝３５が形成されているから、この胴部３の上端３２側から胴部３内に表示灯６０の下端側の小径円筒部６３を挿入して嵌合させたのち、表示灯６０を全体的にアダプタ１の軸心回りに回転させて表示灯６０側における前記凸部６４とアダプタ１側における前記溝３５との位置を相対的にずらすようにすれば、前記凸部６４が胴部３の上端側部分３３の下端３３ａに引っ掛かって抜けないようになる。このとき、表示灯６０の下部側の小径円筒部６３は、胴部３内に嵌合挿通された状態で軸方向に一定の厚み寸法を有する胴部３の上端側部分（小径部分）３３によって保持されることとなる。したがって、表示灯６０は、安定した状態で確実にコーン５０の５１上部に装着保持される。
【００２９】
（他の実施例）  図７および図８に本発明の他の実施例を示す。この実施例に係るコーン表示灯装着用のアダプタ１は、上部５１の内周側に所定の肉厚部分５６が形成されたコーン５０に装着されるもので、胴部３の下方側に外形が２段円錐台状のスカート部２が連設されており、このスカート部２の下端部分２４がフランジ状に形成された構成である。そして、図８に示すように、アダプタ１のスカート部２をコーン５０の上部穴５４内に嵌合させたときに、スカート部２におけるフランジ状の下端部分２４の上面２４ａと胴部３における下端部分の段差面３１ａとでコーン上部の内周側の肉厚部分５６を挟んだ状態で、アダプタ１がコーン５０の上部５１に装着されるようになっている。このような構成によれば、コーン５０の上部５１にアダプタ１を所定の状態（図８参照）に装着したときに、スカート部３におけるフランジ状の下端部分２４の上面２４ａと胴部３における下端部分の段差面３１ａとでコーン上部の内周側の肉厚部分５６が挟まれた状態となるので、コーン上部５１からアダプタ１が抜けたり脱落したりしにくくなる。
【００３０】
なお、この実施例に係るアダプタ１も、図７に示したように、アダプタ１の上からコーン５０を落とし込むことによって図８に示すようにコーン上部５１に装着されるが、その際、アダプタ１の頭部３がコーン５０の肉厚部分５６の内側を通過しやすなるように肉厚部分５６の下端５６ａにはアール加工ないし面取り加工が施されている。以上の点以外は、上述した実施例と同様であるので、対応する部分に同一の符号を付してその説明を省略する。
【符号の説明】
【００３１】
１  コーン表示灯装着用のアダプタ
２  スカート部
２２  突起
２３  スカート部の小径端
２４  スカート部のフランジ状の下端部分
２４ａ  フランジ状の下端部分の上面
３  胴部
３１  胴部の下端
３１ａ  胴部の外周側の下端部分（段差面）
３２  胴部の上端
３６  凹凸部
５０  コーン
５１  コーンの上部
５４  コーンの上部穴
５５ａ  コーンの上端面
６０  表示灯
６１  発光部
６３  円筒部（小径円筒部）
６４  凸部
ｒ  胴部の上端側の内径
Ｒ  胴部の下方側の内径
【図１】
2011089309.tif 000003
【図２】
2011089309.tif 000004
【図３】
2011089309.tif 000005
【図４】
2011089309.tif 000006
【図５】
2011089309.tif 000007
【図６】
2011089309.tif 000008
【図７】
2011089309.tif 000009
【図８】
2011089309.tif 000010